(57)【要約】【課題】簡単な構成により、遊技球が遊技機島の略中央下部にその左右両側および略中央下部を間にして前記導入部とは反対側からそれぞれ円滑に流入するようにし、部品点数や組立工数を少なくして、コストを低減することができる遊技機島における遊技球誘導装置を提供する。【解決手段】相互衝突防止手段２５、２６が、遊技機島１０の略中央下部を各流入路２２、２３、２４から遊技球がそれぞれ流入する各流入域３２、３３、３４に仕切るように配され、各流入路２２、２３、２４からそれぞれ流入する遊技球が、相互衝突防止手段２５、２６に遮られて互いに衝突することがなく、円滑に流れることができるようにした。【選択図】図１
2005110988.tif 000002
【特許請求の範囲】
【請求項１】
遊技球が遊技機島の略中央下部に流入して、前記略中央下部の正面側あるいは背面側に位置する研磨揚送装置の導入部へ流出するようにした遊技機島における遊技球誘導装置において、
前記遊技機島の略中央下部にその左右両側および前記略中央下部を間にして前記導入部とは反対側から遊技球がそれぞれ流入するように配された流入路と、前記各流入路からそれぞれ流入する遊技球が前記遊技機島の略中央下部において相互に衝突しないようにした相互衝突防止手段とを備えたことを特徴とする遊技機島における遊技球誘導装置。
【請求項２】
遊技球が遊技機島の略中央下部に流入して、前記略中央下部の正面側あるいは背面側に位置する研磨揚送装置の導入部へ流出するようにした遊技機島における遊技球誘導装置において、
前記遊技機島の略中央下部にその左右両側および前記略中央下部を間にして前記導入部とは反対側から遊技球がそれぞれ流入するように配された流入路と、前記各流入路からそれぞれ流入する遊技球が前記遊技機島の略中央下部において相互に衝突しないようにした相互衝突防止手段とを備え、
前記相互衝突防止手段は、前記遊技機島の略中央下部を前記各流入路から遊技球がそれぞれ流入する各流入域に仕切るように配されていることを特徴とする遊技機島における遊技球誘導装置。
【請求項３】
遊技球が遊技機島の略中央下部に流入して、前記略中央下部の正面側あるいは背面側に位置する研磨揚送装置の導入部へ流出するようにした遊技機島における遊技球誘導装置において、
前記遊技機島の略中央下部に開設された流入口にその左右両側および該流入口を間にして前記導入部とは反対側から遊技球がそれぞれ流入するように配された流入路と、前記各流入路からそれぞれ流入する遊技球が前記遊技機島の略中央下部において相互に衝突しないようにした相互衝突防止手段と、前記流入口の下方に配された選別部材とを備え、
前記相互衝突防止手段は、前記流入口を前記各流入路から遊技球がそれぞれ流入する各流入域に仕切るように配され、
前記選別部材は、遊技球より開口径が大きく遊技球より大きな異物を選別するための複数の貫通孔が穿設されていることを特徴とする遊技機島における遊技球誘導装置。
【請求項４】
前記流入口を上方から覆うためのカバー部材を備え、
前記相互衝突防止手段は、前記カバー部材の内面側に支持され、該カバー部材が前記流入口を覆ったとき、前記カバー部材の内面側から前記選別部材側へ垂下して、前記流入口を各流入域に仕切るように形成されていることを特徴とする請求項３に記載の遊技機島における遊技球誘導装置。
【請求項５】
前記相互衝突防止手段は、その配置を変更することで、前記各流入域の広さをそれぞれ変更して、前記各流入路から前記遊技機島の略中央下部にそれぞれ流入する遊技球の各流入量を調整可能に構成されていることを特徴とする請求項２、３または４に記載の遊技機島における遊技球誘導装置。
【請求項６】
前記相互衝突防止手段は、遊技球の衝撃を緩和するための緩衝部材を備えていることを特徴とする請求項１、２、３、４または５に記載の遊技機島における遊技球誘導装置。
【発明の詳細な説明】
【技術分野】
【０００１】
本発明は、遊技球が遊技機島の略中央下部に流入して、前記略中央下部の正面側あるいは背面側に位置する研磨揚送装置の導入部へ流出するようにした遊技機島における遊技球誘導装置に関する。
【背景技術】
【０００２】
従来の遊技機島における遊技球誘導装置としては、遊技機島の略中央下部にその左右の回収樋から遊技球が回収されて流入路に流れ込み、さらに、遊技球が流入路から研磨揚送装置の導入口に流入するようにしたものがある（例えば、特許文献１参照。）。
【０００３】
【特許文献１】特開２００２−１０２５１５号公報
【発明の開示】
【発明が解決しようとする課題】
【０００４】
しかしながら、このような従来の遊技機島における遊技球誘導装置では、隣接する遊技機島の間に島内玉場タンクが配され、島内玉場タンク内の遊技球を研磨揚送装置に戻す場合に、例えば、島内玉場タンク内の遊技球がＰＴ分配金具から戻しレールを通り、戻しレール側の遊技球の流れと回収樋側の遊技球の流れが互いに相手側の流れを妨げないように、例えば、戻しレール側の遊技球が流れるための専用のレールを回収樋とは別に設ける必要があり、誘導装置の構成が複雑になって、部品点数や組立工数が多くなり、コストが嵩むという問題点があった。
【０００５】
本発明は、このような従来の問題点に着目してなされたもので、簡単な構成より、遊技球が遊技機島の略中央下部にその左右両側および略中央下部を間にして前記導入部とは反対側からそれぞれ円滑に流入するようにし、部品点数や組立工数を少なくして、コストを低減することができる遊技機島における遊技球誘導装置を提供することを目的としている。
【課題を解決するための手段】
【０００６】
かかる目的を達成するための本発明の要旨とするところは、次の各項の発明に存する。
［１］遊技球が遊技機島（１０）の略中央下部に流入して、前記略中央下部の正面側あるいは背面側に位置する研磨揚送装置（１５）の導入部（１５ａ）へ流出するようにした遊技機島（１０）における遊技球誘導装置（２０）において、
前記遊技機島（１０）の略中央下部にその左右両側および前記略中央下部を間にして前記導入部（１５ａ）とは反対側から遊技球がそれぞれ流入するように配された流入路（２２、２３、２４）と、前記各流入路（２２、２３、２４）からそれぞれ流入する遊技球が前記遊技機島（１０）の略中央下部において相互に衝突しないようにした相互衝突防止手段（２５、２６）とを備えたことを特徴とする遊技機島（１０）における遊技球誘導装置（２０）。
【０００７】
［２］遊技球が遊技機島（１０）の略中央下部に流入して、前記略中央下部の正面側あるいは背面側に位置する研磨揚送装置（１５）の導入部（１５ａ）へ流出するようにした遊技機島（１０）における遊技球誘導装置（２０）において、
前記遊技機島（１０）の略中央下部にその左右両側および前記略中央下部を間にして前記導入部（１５ａ）とは反対側から遊技球がそれぞれ流入するように配された流入路（２２、２３、２４）と、前記各流入路（２２、２３、２４）からそれぞれ流入する遊技球が前記遊技機島（１０）の略中央下部において相互に衝突しないようにした相互衝突防止手段（２５、２６）とを備え、
前記相互衝突防止手段（２５、２６）は、前記遊技機島（１０）の略中央下部を前記各流入路（２２、２３、２４）から遊技球がそれぞれ流入する各流入域（３２、３３、３４）に仕切るように配されていることを特徴とする遊技機島（１０）における遊技球誘導装置（２０）。
【０００８】
［３］遊技球が遊技機島（１０）の略中央下部に流入して、前記略中央下部の正面側あるいは背面側に位置する研磨揚送装置（１５）の導入部（１５ａ）へ流出するようにした遊技機島（１０）における遊技球誘導装置（２０）において、
前記遊技機島（１０）の略中央下部に開設された流入口（３１）にその左右両側および該流入口（３１）を間にして前記導入部（１５ａ）とは反対側から遊技球がそれぞれ流入するように配された流入路（２２、２３、２４）と、前記各流入路（２２、２３、２４）からそれぞれ流入する遊技球が前記遊技機島（１０）の略中央下部において相互に衝突しないようにした相互衝突防止手段（２５、２６）と、前記流入口（３１）の下方に配された選別部材（４１）とを備え、
前記相互衝突防止手段（２５、２６）は、前記流入口（３１）を前記各流入路（２２、２３、２４）から遊技球がそれぞれ流入する各流入域（３２、３３、３４）に仕切るように配され、
前記選別部材（４１）は、遊技球より開口径が大きく遊技球より大きな異物を選別するための複数の貫通孔（４２）が穿設されていることを特徴とする遊技機島（１０）における遊技球誘導装置（２０）。
【０００９】
［４］前記流入口（３１）を上方から覆うためのカバー部材（５０）を備え、
前記相互衝突防止手段（２５、２６）は、前記カバー部材（５０）の内面側に支持され、該カバー部材（５０）が前記流入口（３１）を覆ったとき、前記カバー部材（５０）の内面側から前記選別部材（４１）側へ垂下して、前記流入口（３１）を各流入域（３２、３３、３４）に仕切るように形成されていることを特徴とする［３］に記載の遊技機島（１０）における遊技球誘導装置（２０）。
【００１０】
［５］前記相互衝突防止手段（２５、２６）は、その配置を変更することで、前記各流入域（３２、３３、３４）の広さをそれぞれ変更して、前記各流入路（２２、２３、２４）から前記遊技機島（１０）の略中央下部にそれぞれ流入する遊技球の各流入量を調整可能に構成されていることを特徴とする［２］、［３］または［４］に記載の遊技機島（１０）における遊技球誘導装置（２０）。
【００１１】
［６］前記相互衝突防止手段（２５、２６）は、遊技球の衝撃を緩和するための緩衝部材（２７、２８）を備えていることを特徴とする［１］、［２］、［３］、［４］または［５］に記載の遊技機島（１０）における遊技球誘導装置（２０）。
【００１２】
次に、前記各項に記載された発明の作用について説明する。
［１］に記載された遊技機島（１０）における遊技球誘導装置（２０）では、遊技機島（１０）の略中央下部にその左右両側および前記略中央下部を間にして前記導入部（１５ａ）とは反対側から遊技球がそれぞれ流入するように配された流入路（２２、２３、２４）と、各流入路（２２、２３、２４）からそれぞれ流入する遊技球が遊技機島（１０）の略中央下部において相互に衝突しないようにした相互衝突防止手段（２５、２６）とを備えている。遊技機島（１０）の略中央下部にその左右両側および前記略中央下部を間にして前記導入部（１５ａ）とは反対側の三方向からそれぞれ流入する遊技球が互いに衝突して、衝突した遊技球が後から流入する遊技球の流れを妨げるようになって、遊技球が円滑に流れないで、遊技機島（１０）の略中央下部で遊技球が詰まってしまうおそれがある。しかし、相互衝突防止手段（２５、２６）により、遊技球が互いに衝突することがなく、研磨揚送装置（１５）へ円滑に流れることができる。
【００１３】
また、［２］に記載されているように、相互衝突防止手段（２５、２６）は、遊技機島（１０）の略中央下部を各流入路（２２、２３、２４）から遊技球がそれぞれ流入する各流入域（３２、３３、３４）に仕切るように配されている。それにより、各流入路（２２、２３、２４）からそれぞれ流入する遊技球は、相互衝突防止手段（２５、２６）に遮られて互いに衝突することがなく、円滑に流れることができる。相互衝突防止手段（２５、２６）は、遊技球が各流入域（３２、３３、３４）の間を移動するのを防止すればよく、各流入域（３２、３３、３４）間を隙間なく完全に仕切る必要はなく、三方向から流入する遊技球同士が衝突しない領域においては、各流入域（３２、３３、３４）は、仕切られていなくてもよい。また、例えば、上下方向の隙間があってもその隙間が遊技球が通過できないものであればよい。
【００１４】
さらに、［３］に記載されているように、流入口（３１）の下方に配された選別部材（４１）を備え、相互衝突防止手段（２５、２６）は、流入口（３１）を各流入路（２２、２３、２４）から遊技球がそれぞれ流入する各流入域（３２、３３、３４）に仕切るように配され、選別部材（４１）は、遊技球より開口径が大きく遊技球より大きな異物を選別するための複数の貫通孔（４２）が穿設されている。それにより、各流入路（２２、２３、２４）から各流入域（３２、３３、３４）にそれぞれ流入する遊技球は、相互衝突防止手段（２５、２６）に遮られて互いに衝突することがなく、選別部材（４１）上に流れ込み、やがて、１個ずつ貫通孔（４２）を通ることで、同じ方向になって導入部（１５ａ）側へ排出され、導入部（１５ａ）を通って円滑に研磨揚送装置（１５）に流れることができる。また、遊技球より大きな異物は選別部材（４１）上に残るようになり、研磨揚送装置（１５）へ流れないので、研磨揚送装置（１５）の故障の要因を除くことができる。
【００１５】
さらに、［４］に記載されているように、流入口（３１）を上方から覆うためのカバー部材（５０）を備え、相互衝突防止手段（２５、２６）は、カバー部材（５０）の内面側に支持されている。それにより、カバー部材（５０）が流入口（３１）を覆ったとき、相互衝突防止手段（２５、２６）は、カバー部材（５０）の内面側から前記選別部材（４１）側へ垂下して、流入口（３１）を各流入域（３２、３３、３４）に仕切ることができる。カバー部材（５０）が流入口（３１）を上方から覆った状態が使用状態であり、カバー部材（５０）が流入口（３１）の上方から外された状態が非使用状態であり、例えば、流入口（３１）の内部を保守点検するときにカバー部材（５０）は非使用状態になる。
【００１６】
カバー部材（５０）が使用状態になると、相互衝突防止手段（２５、２６）が流入口（３１）を各流入域（３２、３３、３４）に仕切る使用状態になるので、カバー部材（５０）と相互衝突防止手段（２５、２６）とを一体的に取り扱うことができ、使い勝手がよくなる。これに限らず、相互衝突防止手段（２５、２６）は、独立して取り扱うようにしてもよく、カバー部材（５０）とは他の部品と一体的に取り扱うようにしてもよい。
【００１７】
さらに、［５］に記載されているように、相互衝突防止手段（２５、２６）は、その配置を変更することで、各流入域（３２、３３、３４）の広さをそれぞれ変更して、各流入路（２２、２３、２４）から遊技機島（１０）の略中央下部にそれぞれ流入する遊技球の各流入量を調整可能に構成されている。それにより、遊技機島（１０）が異なることで、各流入路（２２、２３、２４）から各流入域（３２、３３、３４）にそれぞれ流入する遊技球の流入量が異なる場合にも、相互衝突防止手段（２５、２６）の配置を変更すれば、その流入量に合うように流入域の広さが変更され、流入量が調整されて、遊技球が円滑に各流入域（３２、３３、３４）に流入することができ、遊技機島（１０）が異なることで、相互衝突防止手段（２５、２６）の大きさや形状を変更する必要がなく、相互衝突防止手段（２５、２６）を汎用性のあるものにすることができる。
【００１８】
さらに、［６］に記載されているように、相互衝突防止手段（２５、２６）は、遊技球の衝撃を緩和するための緩衝部材（２７、２８）を備えている。それにより、各流入路（２２、２３、２４）から各流入域（３２、３３、３４）にそれぞれ流入する遊技球の衝撃が緩和され、遊技球の流れが乱れないで、遊技球を円滑に研磨揚送装置（１５）側へ流出することができる。
【発明の効果】
【００１９】
本発明に係る遊技機島における遊技球誘導装置では、遊技機島の略中央下部にその左右両側および前記略中央下部を間にして前記導入部とは反対側から遊技球がそれぞれ流入するように配された流入路と、各流入路からそれぞれ流入する遊技球が遊技機島の略中央下部において相互に衝突しないようにした相互衝突防止手段とを備え、遊技球が遊技機島の略中央下部に三方向からそれぞれ流入しても、簡単に構成された相互衝突防止手段によって、遊技機島の略中央下部で遊技球が互いに衝突することがなく、研磨揚送装置へ円滑に流れることができる。
【００２０】
また、各流入路からそれぞれ流入する遊技球は、遊技機島の略中央下部を各流入路から遊技球がそれぞれ流入する各流入域に仕切るように配された簡単な構成である相互衝突防止手段により、遮られて互いに衝突することがなく、円滑に流れることができる。さらに、流入口の下方に選別部材が配され、選別部材に遊技球より開口径が大きく遊技球より大きな異物を選別するための複数の貫通孔が穿設されているので、各流入路から各流入域にそれぞれ流入する遊技球は、貫通孔を通ることで、同じ方向になって導入部側へ円滑に流れる一方、遊技球より大きな異物は研磨揚送装置へ流れないで、研磨揚送装置の故障の要因を除くことができる。
【００２１】
さらに、カバー部材が流入口を覆ったとき、相互衝突防止手段がカバー部材の内面側から前記選択部材側へ垂下して、流入口を各流入域に仕切るようにしたので、カバー部材と相互衝突防止手段とを一体的に取り扱うことができ、使い勝手がよくなる。さらに、相互衝突防止手段は、各流入域の広さをそれぞれ変更することで、各流入路から遊技機島の略中央下部にそれぞれ流入する遊技球の各流入量を調整可能に構成されているので、遊技機島が異なることで、各流入路からそれぞれ各流入域に流入する遊技球の流入量が異なる場合にも、相互衝突防止手段の配置を変更すればよく、相互衝突防止手段の大きさや形状を変更する必要がなく、相互衝突防止手段を汎用性のあるものにすることができる。
【発明を実施するための最良の形態】
【００２２】
以下、図面に基づき本発明の一実施の形態を説明する。各図は本発明の一実施の形態を示している。図２は遊技機島の一部を破断してその全体構成を示した正面図である。図３は遊技機島の一部を破断してその全体構成を示した平面図である。図２および図３に示すように、遊技機島１０は、複数台のパチンコ機１１が並んで配設されており、本発明による遊技球誘導装置２０が組み込まれている。遊技球誘導装置２０は、遊技球が遊技機島１０の略中央下部に流入して、略中央下部の正面側に位置する研磨揚送装置１５の導入部１５ａへ流出するようにしたものである。
【００２３】
研磨揚送装置１５を中心に左右各複数の貯留タンク１３が遊技機島１０の下部に配設されている。この貯留タンク１３内の遊技球が循環リフト１４から流入路２２、２３を介して研磨揚送装置１５の導入部１５ａに供給され、また、隣接する遊技機島１０間に配された島内玉場タンク１３ａから分配金具１３ｂおよび流入路２４を介して研磨揚送装置１５の導入部１５ａに供給され、研磨揚送装置１５により、遊技機島１０の上部に配設された上部タンク１６に揚送され、この上部タンク１６から左右の二つの供給樋１７を通って各パチンコ機１１および台間玉貸機１２に供給され、各パチンコ機１１から貯留タンク１３に送られ、また、上部タンク１６からオーバーフロー樋１８を通って貯留タンク１３に送られ、さらに、遊技機島１０の端部に配設された計数機１９から遊技球が貯留タンク１３に送られるよう構成されている。
【００２４】
貯留タンク１３は、その床面が玉排出部に向かってなだらかに下方に傾斜しており、貯留タンク１３内の遊技球が傾斜に従って玉排出部に向かって転がるように構成されている。循環リフト１４は、貯留タンク１３の床面を転動して玉排出部から排出される遊技球を取り込んで、遊技球を流入路２２、２３を介して研磨揚送装置１５に引き渡すようになっている。また、島内玉場タンク１３ａから分配金具１３ｂおよび流入路２４を介して研磨揚送装置１５に引き渡すようになっている。研磨揚送装置１５は、流入路２２、２３、２４を介して供給された遊技球を受けて、遊技球を磨きながら上方に向かって揚送するように、例えばベルトコンベアにより構成されている。
【００２５】
図１は遊技機島の略中央下部に配される遊技球誘導装置を示す分解斜視図、図４は遊技球誘導装置および研磨揚送装置を示す側面図である。図１〜図４に示すように、遊技機島１０の略中央下部に集められた遊技球は、遊技球誘導装置２０を介して研磨揚送装置１５に取り込まれる。研磨揚送装置１５は、その下部にある導入部１５ａから取り込んだ遊技球を、上方へと順次研磨しながら揚送する装置である。流入口３１の正面側には、研磨揚送装置１５の導入部１５ａが配されている。
【００２６】
遊技機島１０の略中央下部には略矩形状の流入口３１が開設され、流入口３１の左右両側から遊技球が流入するように流入路２２、２３が配され、流入口３１を間にして導入部１５ａとは反対側である背面側から遊技球が流入するように流入路２４が配されている。流入路２４の終端部は、遊技球誘導装置２０の本体２１の壁背面部に固設された取付ブラケット２１ａに支持されている。
【００２７】
流入路２２、２３、２４は、流入口３１に向けて下り傾斜するように配置されている。流入路２２、２３、２４は、遊技球が流下する底壁２２ａ、２３ａ、２４ａと遊技球が経路外への落下するのを防止する外周壁２２ｂ、２３ｂ、２４ｂとを備えている。流入路２２、２３の上流端は、貯留タンク１３側に連通接続され、流入路２４の上流端は、島内玉場タンク１３ａ側に連通接続されている。流入路２２、２３、２４の少なくとも下流端の底壁２２ａ、２３ａ、２４ａには、遊技球より幅が狭く遊技球より小さい異物を選別するための複数の溝が互いに平行に列設されている。ここで複数の溝間の仕切り突条は、遊技球を整列させるための整列路として機能するようになっている。
【００２８】
流入口３１の下方には選別部材４１が配されている。選別部材４１の下方には、落下する遊技球を受け止める流出路４５が配置されている。選別部材４１は、遊技球より開口径が大きく遊技球より大きな異物を選別するための複数の貫通孔４２が穿設されている。流出路４５は、研磨揚送装置１５の導入部１５ａに向けて下り傾斜となるように設けられている。流出路４５は、流出路４５の少なくとも下流端の底壁４５ａに、遊技球より幅が狭く遊技球より小さい異物を選別するための複数の溝を互いに平行に列設して成り、底壁４５ａ上を遊技球が流れる一方、遊技球より小さな異物が底壁４５ａから落ちるように形成されている。それにより、遊技球より大きな例えば硬貨などの異物が選別部材４１上に残り、遊技球より小さな例えばビスなどの異物が流出路４５の底壁４５ａから落下することで、研磨揚送装置１５に流れるのを防止して、研磨揚送装置１５の故障の要因を除くことができる。
【００２９】
図５は遊技球誘導装置を示す平面図、図６は遊技球誘導装置を示す正面図、図７は、遊技球誘導装置を示す側面図であり、カバー部材が開いた状態で、ストッパー部材が流入口に嵌合した状態を示した図、図８は、遊技球誘導装置を示す側面図であり、カバー部材が開いた状態と閉じた状態とをそれぞれ示した図である。
【００３０】
図１および図５〜図８に示すように、流入口３１を上方から覆うためのカバー部材５０を備えている。カバー部材５０は、例えばアクリル樹脂等の透明な材質より成形されるものである。また、カバー部材５０は、その前端縁側が一対の蝶番を介して開閉可能に設けられている。カバー部材５０の内面側には、相互衝突防止手段２５、２６が支持されている。カバー部材５０の基側両端部には軸受部５２が形成されている。遊技球誘導装置２０の本体２１の壁背面部には、軸受部５２に嵌合してカバー部材５０を開閉可能に支持するための一対の枢軸５３が固設されている。
【００３１】
相互衝突防止手段２５、２６は、Ｔ字形に配されている。相互衝突防止手段２５は、流入口３１の左右両側から遊技球が流入する方向に対して直交している。また、相互衝突防止手段２６は、流入口３１の背面側から遊技球が流入する方向に対して直交している。
【００３２】
相互衝突防止手段２５、２６は、カバー部材５０を閉じた際に、カバー部材５０の内面側から選別部材４１側へ垂下して、流入口３１を各流入域３２、３３、３４に仕切るように形成されている。相互衝突防止手段２５、２６はカバー部材５０と一体的に取り扱うことができる。これに限らず、相互衝突防止手段２５、２６は他の部品と一体的に取り扱うように構成してもよく、独立して取り扱うように構成してもよい。流入域３２、３３は、遊技球が流入路２２、２３から流入口３１に流入する領域であり、流入域３４は、遊技球が流入路２４から流入口３１に流入する領域である。
【００３３】
相互衝突防止手段２５、２６は、遊技球の衝撃を緩和するための緩衝部材２７、２８を備えている。緩衝部材２７、２８は、このカバー部材５０に対して着脱自在かつ位置調整可能に取り付けられ、各流入路２２、２３、２４から各流入域３２、３３、３４にそれぞれ流入する遊技球の各流入量を調整可能に構成されている。カバー部材５０には緩衝部材２７、２８を位置調整するためのネジ孔５１が所定間隔で４個所ずつ穿設されている。かかる緩衝部材２７、２８は、その上端縁に沿って所定幅で延出する取付片２９がカバー部材５０のネジ孔５１に螺合するネジで止められている。緩衝部材２７、２８は、例えばウレタン樹脂等の弾性体により図示したリテーナ形状に成形されている。
【００３４】
緩衝部材２７、２８は、遊技球が各流入域３２、３３、３４の間を移動するのを防止すればよく、各流入域３２、３３、３４間を隙間なく完全に仕切る必要はない。本実施の形態では、各流入路２２、２３、２４から流入する遊技球同士が衝突しない領域においては、各流入域３２、３３、３４は、完全に仕切られずに連通していて、遊技球の移動が許容されている。また、本実施の形態では、遊技球より小さく遊技球が通り抜け不能な隙間が緩衝部材２７、２８と選別部材４１との間に形成されている。
【００３５】
図９は、本発明の一実施の形態に係るストッパー部材を示しており、（ａ）はその平面図、（ｂ）はその正面図、（ｃ）はその側面図である。図１、図７〜図９に示すように、各流入路２２、２３、２４から流入口３１に遊技球が流入するのを止めるためのストッパー部材６０を備えている。ストッパー部材６０は薄板金属材をプレス成形したものである。ストッパー部材６０は、各流入路２２、２３、２４に対応する立壁６２、６３、６４と、略矩形状に開設された流入口３１に合わせた同じく略矩形状の天井部６５とを有している。立壁６２、６３、６４は、天井部６５の両側縁６２ａ、６３ａおよび後縁６４ａからそれぞれ垂下するように形成されている。
【００３６】
ストッパー部材６０は、流入口３１に嵌脱することで、各立壁６２、６３、６４が各流入路２２、２３、２４を閉塞した状態と開放した状態とになるように配されている。ストッパー部材６０の各立壁６２、６３、６４は、遊技球が流入路２２、２３、２４から流入口３１に流入しないように流入路２２、２３、２４を塞げば十分であり、流入路２２、２３、２４を完全に塞ぐ必要はない。本実施の形態では、立壁６２、６３、６４が堰のように流入路２２、２３、２４を塞ぐことで、遊技球が堰を乗り越えないようになっている。
【００３７】
各立壁６２、６３、６４は、ストッパー部材６０が流入口３１に嵌合したときに、選別部材４１に当接するように形成されている。ストッパー部材６０の天井部６５には、選別部材４１上に残った異物を除去するための２つの異物除去用窓６６が開設されている。
【００３８】
次に、本実施の形態に係る遊技球誘導装置２０により遊技球がどのように誘導されるかについて主に説明する。カバー部材５０が流入口３１を覆ったとき、カバー部材５０の内面側に支持されている相互衝突防止手段２５、２６は、カバー部材５０の内面側から選別部材４１側へ垂下して、流入口３１を各流入域３２、３３、３４に仕切っている。カバー部材５０が流入口３１を上方から覆った状態が使用状態であり、カバー部材５０が流入口３１の上方から外された状態が非使用状態であり、例えば、流入口３１の内部を保守点検するときにカバー部材５０は非使用状態になる。
【００３９】
カバー部材５０が使用状態になると、相互衝突防止手段２５、２６が流入口３１を各流入域３２、３３、３４に仕切る使用状態になるので、遊技球が各貯留タンク１３から流入路２２、２３を通って流入口３１にその左右両側から流入すると、相互衝突防止手段２５により、左右両側から流入する遊技球が互いに衝突することがない。また、遊技球が島内玉場タンク１３ａ、分配金具１３ｂから流入路２４を通って背面側から流入口３１に流入すると、相互衝突防止手段２６に衝突して、背面側から流入する遊技球が、左右両側から流入する遊技球と衝突することがない。このように、左右両側および背面側からそれぞれ流入する遊技球が互いに衝突することがなく、衝突した遊技球が後から流入する遊技球の流れを妨げることがなく、円滑に流れ、流入口３１の中で遊技球が詰まってしまうおそれがない。また、実際には、遊技球は緩衝部材２７、２８に衝突するから、遊技球の衝撃を緩和することができる。
【００４０】
各流入路２２、２３、２４から流入口３１の各流入域３２、３３、３４にそれぞれ流入する遊技球は、相互衝突防止手段２５、２６に遮られて互いに衝突することがなく、選別部材４１上に流れ込み、やがて、１個ずつ貫通孔４２を通ることで、選別部材４１の下方の流出路４５上に落下し、流出路４５の傾斜方向へ同じ方向になって導入部１５ａ側へ流出し、導入部１５ａから研磨揚送装置１５に導かれる。また、遊技球より大きな異物は選別部材４１上に残るようになり、また、遊技球より小さな異物は流出路４５から落下して、研磨揚送装置１５へ流れないので、異物による研磨揚送装置１５の故障の要因を除くことができる。
【００４１】
次に、相互衝突防止手段２５、２６により、各流入域３２、３３、３４の広さをそれぞれ変更する場合を説明する。ネジを弛めて、ネジ孔５１から外し、相互衝突防止手段２５、２６をそれぞれ移動して、新たなネジ孔５１にネジ止めする。それにより、各流入路２２、２３、２４から流入口３１にそれぞれ流入する遊技球の各流入量を調整することができる。
【００４２】
例えば、遊技機島１０が異なることで、各流入路２２、２３、２４からそれぞれ各流入域３２、３３、３４に流入する遊技球の流入量が異なる場合には、相互衝突防止手段２５、２６によって、その流入量に合うように流入域３２、３３、３４の広さを変更すれば、流入量が調整されて、遊技球が円滑に各流入域３２、３３、３４に流入することができる。
【００４３】
具体的には、流入路２４からの遊技球が多い遊技機島１０の場合には、相互衝突防止手段２６を流入口３１の後縁部側から前縁部側へ移動し、それに伴い、相互衝突防止手段２５を流入口３１の後縁部側から前縁部側へずらすことで、流入域３４を拡大する一方、流入域３２、３３をそれぞれ縮小することができる。反対に、流入路２４からの遊技球が少ない遊技機島１０の場合には、相互衝突防止手段２６を流入口３１の前縁部側から後縁部側へ移動し、それに伴い、相互衝突防止手段２５を流入口３１の前縁部側から後縁部側へずらすことで、流入域３４を縮小する一方、流入域３２、３３をそれぞれ拡大することができる。
【００４４】
次に、ストッパー部材６０によって各流入路２２、２３、２４を閉塞、開放する場合について主に説明する。ストッパー部材６０を流入口３１に嵌脱することで、ストッパー部材６０の各立壁６２、６３、６４が各流入路２２、２３、２４を閉塞した状態と開放した状態とになる。各流入路２２、２３、２４を閉塞するために、ストッパー部材６０は、遊技球誘導装置２０の流入口３１に嵌合するだけであり、ストッパー部材６０の取付スペースを特別に必要としない。
【００４５】
略矩形状の流入口３１の左右両側から遊技球が流入する流入路２２、２３がその流入口３１の両側縁に対応し、流入口３１の背面側から遊技球が流入する流入路２４がその流入口３１の後縁に対応しているので、ストッパー部材６０を流入口３１に嵌合すれば、天井部６５の両側縁６２ａ、６３ａおよび後縁６４ａからそれぞれ垂下する立壁６２、６３、６４によって、各流入路２２、２３、２４を閉塞することができる。ストッパー部材６０を流入口３１に嵌脱する簡単な操作により、３つの流入路２２、２３、２４を一度に閉塞したり開放したりすることができる。
【００４６】
ストッパー部材６０を流入口３１に嵌合して左右両側の流入路２２、２３、２４および背面側の流入路２２、２３、２４を閉塞した場合には、遊技球は流入口３１に流入しないで、選別部材４１、流出路４５から流入口３１の正面側に位置する研磨揚送装置１５の導入部１５ａに流出しない。ストッパー部材６０が流入口３１に嵌合したときに、ストッパー部材６０の各立壁６２、６３、６４は選別部材４１に当接することで、ストッパー部材６０の上下方向の位置決めができる。また、ストッパー部材６０は、流入口３１に嵌合することで、水平方向の位置決めがなされるから、ストッパー部材６０は、安定して流入口３１に嵌合した状態を維持する。
【００４７】
遊技球誘導装置２０の使用時に、ストッパー部材６０を流入口３１から離脱させて左右両側の流入路２２、２３、２４および背面側の流入路２２、２３、２４を開放した場合には、前述したように、遊技球は流入口３１に流入し、選別部材４１、流出路４５から流入口３１の正面側に位置する研磨揚送装置１５の導入部１５ａに流出する。
【００４８】
次に、流入口３１の内部を点検し、異物を除去する場合について説明する。  
流入口３１の内部を点検するには、前述したように、ストッパー部材６０が流入口３１に嵌合して、各流入路２２、２３、２４を閉塞し、遊技球が流入口３１に流入しない状態を確保する。
【００４９】
選別部材４１の貫通孔４２を通過しない遊技球より大きな例えば硬貨などの異物を、作業者が異物除去用窓６６を通して確認した上で、異物除去用窓６６を通してその異物を除去することができる。
【００５０】
異物の除去作業が終了したならば、ストッパー部材６０を流入口３１から外して、カバー部材５０で流入口３１を覆うようにし、相互衝突防止手段２５、２６で、流入口３１を流入域３２、３３、３４に仕切るようにすればよい。ストッパー部材６０を流入口３１に嵌脱するとき、作業者は、２つの異物除去用窓６６の間の窓枠６７を持って行うようにすればよい。
【００５１】
なお、前記実施の形態においては、流入口３１に３つの流入路２２、２３、２４から遊技球が流れる遊技球誘導装置２０を示し、ストッパー部材６０は、３つの流入路２２、２３、２４に対応する立壁６２、６３、６４をそれぞれ有し、ストッパー部材６０が流入口３１に嵌脱することで、各立壁６２、６３、６４が各流入路２２、２３、２４を閉塞した状態と開放した状態とになるようにしたが、これに限らず、流入口３１に２つの流入路２２、２３から遊技球が流入する遊技球誘導装置２０においても、ストッパー部材６０を用いることができる。例えば、流入口３１にその左右両側から遊技球が流入するように流入路２２、２３が配されている場合には、ストッパー部材６０が流入路２２、２３に対応する立壁６２、６３をそれぞれ有し、ストッパー部材６０が流入口３１に嵌脱することで、各立壁６２、６３が各流入路２２、２３を閉塞した状態と開放した状態とになる。
【００５２】
また、前記実施の形態においては、流入口３１に４以上の流入路から遊技球が流入する遊技球誘導装置２０にもストッパー部材６０を用いることができる。この場合には、ストッパー部材６０が４以上の立壁を有し、ストッパー部材６０が流入口３１に嵌脱することで、４以上の立壁が４以上の流入路を閉塞した状態と開放した状態とになる。
【００５３】
さらに、実施の形態では、流入口３１の正面側に研磨揚送装置１５の導入部１５ａが位置しているので、流入路２４を流入口３１の背面側から遊技球が流入口３１に流入するように配したが、流入口３１の背面側に研磨揚送装置１５の導入部１５ａが位置している場合には、流入路２４を流入口３１の正面側から遊技球が流入口３１に流入するように配すればよい。
【００５４】
さらに、ストッパー部材６０を薄板金属材でプレス成形したが、透明な樹脂材で成形することで、さらに軽量にし、また、選別部材４１上に残った硬貨などの異物を点検し易くするようにしてもよい。
【図面の簡単な説明】
【００５５】
【図１】本発明の一実施の形態に係る遊技機島の略中央下部に配される遊技球誘導装置を示す分解斜視図である。
【図２】本発明の一実施の形態に係る遊技機島の一部を破断してその全体構成を示した正面図である。
【図３】本発明の一実施の形態に係る遊技機島の一部を破断してその全体構成を示した平面図である。
【図４】本発明の一実施の形態に係る遊技球誘導装置および研磨揚送装置を示す側面図である。
【図５】本発明の一実施の形態に係る遊技球誘導装置を示す平面図である。
【図６】本発明の一実施の形態に係る遊技球誘導装置を示す正面図である。
【図７】本発明の一実施の形態に係る遊技球誘導装置を示す側面図であり、カバー部材が開いた状態で、ストッパー部材が流入口に嵌合した状態を示した図である。
【図８】本発明の一実施の形態に係る遊技球誘導装置を示す側面図であり、カバー部材が開いた状態と閉じた状態とをそれぞれ示した図である。
【図９】本発明の一実施の形態に係るストッパー部材を示しており、（ａ）はその平面図、（ｂ）はその正面図、（ｃ）はその側面図である。
【符号の説明】
【００５６】
１０…遊技機島
１１…パチンコ機
１２…台間玉貸機
１３…貯留タンク
１３ａ…島内玉場タンク
１３ｂ…分配金具
１４…循環リフト
１５…研磨揚送装置
１５ａ…導入部
１６…上部タンク
１７…供給樋
１８…オーバーフロー樋
１９…計数機
２０…遊技球誘導装置
２１…本体
２１ａ…取付ブラケット
２２、２３、２４…流入路
２２ａ、２３ａ、２４ａ…底壁
２２ｂ、２３ｂ、２４ｂ…外周壁
２５、２６…相互衝突防止手段
２７、２８…緩衝部材
２９…取付片
３１…流入口
３２、３３、３４…流入域
４１…選別部材
４２…貫通孔
４５…流出路
４５ａ…底壁
５０…カバー部材
５１…ネジ孔
５２…軸受部
５３…枢軸
６０…ストッパー部材
６２、６３、６４…立壁
６２ａ、６３ａ…両側縁
６４ａ…後縁
６５…天井部
６６…異物除去用窓
６７…窓枠
【図１】
2005110988.tif 000003
【図２】
2005110988.tif 000004
【図３】
2005110988.tif 000005
【図４】
2005110988.tif 000006
【図５】
2005110988.tif 000007
【図６】
2005110988.tif 000008
【図７】
2005110988.tif 000009
【図８】
2005110988.tif 000010
【図９】
2005110988.tif 000011